(57)【要約】【課題】原子化炉用の管状炉装置（１０）及び原子化炉、特に原子吸光分光用の管状炉装置に関する。【解決手段】管状炉装置は、試料支持装置（１１）と試料支持具（１２）とを含む。試料支持装置は、管形の収容空間（１４）を形成する収容管（１３）を有する。試料支持具は、被分析物を収容する役割をしかつ収容空間内に配置されている。試料支持装置は、管状炉装置を原子化炉に保持しかつ電気的に接触させる役割をする２つの支承延長部（１５）を収容管に有する。支承延長部は、収容炉の長手軸（１６）に対して横手方向に、好ましくは直交して延びている。試料支持具は、支え突子（１９）を有しかつ該支え突子を用いて収容管の収容管壁（３０）と接合されている。試料支持具は、２つの支え突子を有し、それらの支え突子は、試料支持具の対向する長手端（２０）に形成されている。【選択図】図３
2019039919.tif 000002
【特許請求の範囲】
【請求項１】
原子化炉用、特に原子吸光分光用の管状炉装置（１０）において、前記管状炉装置が試料支持装置（１１）と試料支持具（１２）とを含み、前記試料支持装置は、管形の収容空間（１４）を形成する収容管（１３）を有し、前記試料支持具は、被分析物を収容しかつ前記収容空間内に配置されており、前記試料支持装置は、前記管状炉装置を原子化炉に保持しかつ電気的に接触させる役割をする２つの支承延長部（１５）を前記収容管に有し、前記支承延長部は、前記収容管の長手軸（１６）に対して横手方向に、好ましくは長手軸（１６）に対して直交して延びており、前記試料支持具は、支え突子（１９）を有し、前記支え突子により前記試料支持具が前記収容管の収容管壁（３０）と接合されている、管状炉装置であって、
前記試料支持具は、２つの支え突子（１９）を有し、
前記支え突子は、前記試料支持具の対向する長手端（２０）に形成されていることを特徴とする管状炉装置。
【請求項２】
請求項１に記載の管状炉装置において、
前記試料支持具（１２）は、支え突子（１９）を２つのみを有することを特徴とする管状炉装置。
【請求項３】
請求項１又は２に記載の管状炉装置において、
前記管状炉装置（１０）は、完全に黒鉛から構成されていることを特徴とする管状炉装置。
【請求項４】
請求項１〜３のいずれか１つに記載の管状炉装置において、
前記収容管（１３）は、前記支承延長部（１５）を介して横手方向で電気的に加熱できるように構成されていることを特徴とする管状炉装置。
【請求項５】
請求項１〜４のいずれか１つに記載の管状炉装置において、
前記支承延長部（１５）は、支承体（１７）と保持ブリッジ（１８）とから構成されており、
前記保持ブリッジは、前記支承体を前記収容管（１３）と接合することを特徴とする管状炉装置。
【請求項６】
請求項１〜５のいずれか１つに記載の管状炉装置において、
前記支え突子（１９）は、前記試料支持具（１２）の対称平面内に配置されていることを特徴とする管状炉装置。
【請求項７】
請求項１〜６のいずれか１つに記載の管状炉装置において、
一方の支え突子（１９）が浮動支承を形成し、他方の支え突子（１９）が固定支承を形成するか、又は２つの支え突子（１９）が固定支承を形成することを特徴とする管状炉装置。
【請求項８】
請求項１〜７のいずれか１つに記載の管状炉装置において、
前記試料支持具（１２）は、被分析物用の槽形収容体（２１）を形成することを特徴とする管状炉装置。
【請求項９】
請求項１〜８のいずれか１つに記載の管状炉装置において、
前記支え突子（１９）は、四角形の幾何学形状を有しかつ収容体（２１）で軸方向にそれぞれ突き出ていることを特徴とする管状炉装置。
【請求項１０】
請求項１〜９のいずれか１つに記載の管状炉装置において、
前記試料支持具（１２）の断面は円形状に形成されており、
前記支え突子（１９）は、前記試料支持具の半径方向に突き出ていることを特徴とする管状炉装置。
【請求項１１】
請求項１〜１０のいずれか１つに記載の管状炉装置において、
少なくとも１つの支え突子（１９）は、前記収容管壁（３０）内に形成された収容間隙（２６）内に挿入されていることを特徴とする管状炉装置。
【請求項１２】
請求項１１に記載の管状炉装置において、
前記支え突子（１９）は、前記収容間隙（２６）内に挟まれていることを特徴とする管状炉装置。
【請求項１３】
請求項１１又は１２に記載の管状炉装置において、
前記収容間隙（２６）は、前記収容管（１３）の長手端（２９）に形成されていることを特徴とする管状炉装置。
【請求項１４】
請求項１〜１３のいずれか１つに記載の管状炉装置において、
少なくとも１つの支え突子（１９）は、前記収容管（１３）の内面（２３）に接する段（２７）を形成することを特徴とする管状炉装置。
【請求項１５】
請求項１〜１４のいずれか１つに記載の管状炉装置において、
前記試料支持具（１２）は、熱分解性被膜により前記収容管（１３）に固定されていることを特徴とする管状炉装置。
【請求項１６】
請求項１〜１５のいずれか１つに記載の管状炉装置において、
前記管状炉装置（１０）は、前記支承延長部（１５）と前記収容管（１３）とを通り抜ける貫通孔（２２）を有することを特徴とする管状炉装置。
【請求項１７】
原子化炉を含む分析機器、特に原子吸光分光用の分析機器であって、
前記原子化炉は、請求項１〜１６のいずれか１つに記載の管状炉装置（１０）を有することを特徴とする分析機器。
【発明の詳細な説明】
【技術分野】
【０００１】
本発明は原子化炉用の管状炉装置及び原子化炉、特に原子吸光分光用の原子化炉に関する。管状炉装置は、試料支持装置と試料支持具とを含む。試料支持装置は、管形の収容空間を形成する収容管を有する。試料支持具は被分析物を収容する役割をし、収容空間内に配置されている。試料支持装置は、管状炉装置を原子化炉に保持しかつ電気的に接触させる役割をする２つの支承延長部を収容管に有する。支承延長部は、収容炉の長手軸に対して横手方向に、好ましくは直交して延びている。試料支持具は支え突子を有し、試料支持具はその支え突子を用いて収容管の収容管壁と接合されている。
【背景技術】
【０００２】
被分析物を原子化するために黒鉛炉又は黒鉛管が電熱処理で温められる、原子吸入分光（ＡＡＳ）用原子化炉、特に黒鉛炉原子吸光分光（ＧＦ−ＡＡＳ）用の原子化炉は十分に知られている。黒鉛炉又は管状炉装置は、一般的に、管形状に形成されている収容空間を備えた試料支持装置を有する。管形の収容空間の内部では、被分析物が直接的に収容空間内で、又は収容空間内の例えば皿形の台又は試料支持具上で原子化され得る。光スペクトル分析のために、管形の収容空間の長手端は常時開いて形成されている。管形の収容空間は、黒鉛製の試料支持装置の収容管により形成されている。収容空間又は収容管は、長手方向に加熱されてもよいし、横手方向に加熱されてもよい。すなわち、加熱のための電流は、収容管の長手端から収容管の長手方向にわたり流れてもよく、収容管が、その外装で向き合っている支承延長部を介して電気的に接触されて、電流が収容管の長手軸に対して横手方向にこの収容管を通って流れてもよい。支承延長部は、それぞれ、原子化炉の収容体に保持され、電気的に接触されている。収容管の長手方向の加熱とは異なり、横手方向の加熱の場合は比較的良好な温度恒常性が収容空間の全長にわたり得られる。
【０００３】
計測結果の再現性を保証するためには、被分析物の加熱が収容管を介して間接的に行われることが重要である。このため、被分析物の直接的な加熱を生じさせ得る試料支持具を介した電流の流れを可能な限り防止しなければならない。このため、従来技術で周知の横手方向加熱式の管状炉装置では、試料支持具が常に単一の支え突子でもって収容管の収容管壁に固定されているか、又はこの収容管壁と接合されている。このように、試料支持具の単一の支え突子が挿入される穴が収容管壁に形成されている管状炉装置が知られている。支え突子は、試料支持具での中央でかつ下側に、穴に挿入されるように形成されている。この場合、収容管内で試料支持具を正確に配列するために、その穴を長穴形状に形成する必要がある。これにより、守られるべき公差に従う長穴及び支え突子を整合するように形作るのが難しくなるという欠点がある。加えて支え突子の領域において、収容管から試料支持具へ直接的に熱が伝わり、そのために、一般的に試料支持具上の中央に配置される被分析物は望まれずに直接的に加熱される。
【０００４】
さらに、試料支持具が皿形状に形成されている管状炉装置が知られている。この場合、試料支持具は、試料支持具の長手縁に沿って収容管壁に保持されている。これにより、試料支持具は、その長手縁でもって、収容管壁に形成される単一の支え突子に、試料支持装置と一体的に接合されている。このため、試料支持具は、切削加工で試料支持装置と一体的に形成されている。これは比較的高価であるため、費用高を招く。また、この場合、被分析物の望まれない直接的な加熱が、支え突子を介して試料支持具の長手縁で行われてしまう。
【発明の概要】
【発明が解決しようとする課題】
【０００５】
故に本発明の課題は、より正確な計測結果をより少ない作製費用でそれぞれ提供する管状炉装置と分析機器とを提供するということにある。
【課題を解決するための手段】
【０００６】
本課題は、請求項１の特徴を有する管状炉装置と請求項１７の特徴を有する分析機器とにより解決される。
【０００７】
原子化炉用の本発明による管状炉装置、特に原子吸光分光用の管状炉装置は、試料支持装置と試料支持具とを含む。試料支持装置は、管形の収容空間を形成する収容管を有する。試料支持具は被分析物を収容する役割をし、収容空間内に配置されている。試料支持装置は、管状炉装置を原子化炉に保持しかつ電気的に接触させる役割をする２つの支承延長部を収容管に有する。支承延長部は収容炉の長手軸に対して横手方向に、好ましくは長手軸に対して直交して延びている。試料支持具は支え突子を有し、その支え突子を用いて試料支持具が収容管の収容管壁と接合されている。試料支持具は２つの支え突子を有し、それらの支え突子は、試料支持具の対向する長手端にそれぞれ形成されている。
【０００８】
特に２つの支え突子が、試料支持具の対向する長手端に形成されていることにより、試料支持具を二点支えで収容管壁に配置することが可能になる。収容管に対して２つの支承延長部を配置することにより、収容管を加熱するための電流は、収容管に対して横手方向のみにこの収容管を介して流れ得るため、試料支持具は、電位なしで収容管内に配置される。これにより、試料支持具の間接的な加熱が確保される。２つの支え突子に基づいた、又は試料支持具を収容管壁の２点で支えることに基づいた試料支持具を通る電流の流れは、試料支持具の各々の長手端での支え突子の相対間隔が比較的大きいことによっても防止され得る。これから得られる電気抵抗は、試料支持具を通る電流の流れを、すなわち、被分析物の直接的な加熱を防止する。同時に収容管壁から試料支持具への直接的な熱伝導がその長手端でのみ行われ、試料支持具の中央に通常配置される被分析物は、実際には、この熱伝導により影響を受けない。さらに、試料支持具の長手端に２つの支え突子を備えた試料支持具又は管状炉装置は、とりわけ容易に、すなわち費用面で有利に作製されうるものである。
【０００９】
試料支持具は支え突子を２つのみ有する。試料支持具が３つ以上の支え突子を有していない場合、被分析物の間接的な加熱の向上により、取得され得る計測結果の質を高めることができる。同時に試料支持具を容易に収容管の内部に配置する又は配列することも可能である。したがって、試料支持装置とは独立して試料支持具を形成し、その後に試料支持装置と共に試料支持具を管状炉装置に容易に備え付けることができる。
【００１０】
その際、管状炉装置が完全に黒鉛から構成されていることは特に有利である。この際、試料支持装置と試料支持具とをそれぞれ切削加工により互いに分けて作製することができる。さらに、管状炉装置全体又はその個別の部分は、熱分解処理で被覆されてもよい。これにより、管状炉装置の寿命を長くすることができる。
【００１１】
特に、収容管は、支承延長部を介して横手方向に電気的に加熱できるように形成されてもよい。このように、収容管全長にわたり温度恒常性を確保することができる。
【００１２】
支承延長部は、支承体と保持ブリッジとから構成されてもよく、その際、保持ブリッジは支承体を収容管と接合し得る。保持ブリッジを収容管に成形し、支承体を保持ブリッジに成形してもよい。つまり、収容管は、２つの支承延長部と一体的に構成されてもよい。このように構成される試料支持装置の作製は、黒鉛体を切削加工することにより行われ得る。各支承体及び保持ブリッジが収容管の長手軸の方向に連続形鋼のように形成されている場合、例えば、収容管に成形される試料支持具のような特殊な幾何学形状の輪郭を形成する必要がないので、試料支持装置をとりわけ容易に作製することができる。
【００１３】
支え突子は試料支持具の対称面に配置されてもよい。つまり、試料支持具は対称的に形成されてもよい。
【００１４】
１つの支え突子が浮動支承を形成し、１つの支え突子が固定支承を形成することがあり得る、又は２つの支え突子が固定支承を形成することがあり得る。すなわち、一方の支え突子は、収容管の収容管壁と固く接合されてもよい。その際、他方の支え突子は、収容管の収容管壁に緩く接しているか又は載っている。このように、温度差又は作製に起因し得る試料支持具内の起こり得る応力を確実に回避することができる。このような応力による試料支持具の破壊を可能な限り取り除くことができる。代わりに２つの支え突子は収容管と固く接合されてもよい。これにより、試料支持具を収容管内に特に安定的に保持し、正確に配置することを確保することができる。
【００１５】
また、試料支持具が被分析物用の槽形収容体を形成してもよい。収容体が被分析物用の槽形収容空間であってもよい。このように、被分析物が試料支持具から容易には落ち得ないことを保証することができる。
【００１６】
支え突子が四角形の幾何学形状を有し、それぞれ、収容体で軸方向に突き出てもよい。試料支持具の生材を機械加工することにより、このような支え突子の形を容易に彫り出すことができ、これは、試料支持具の作製を容易にする。したがって、支え突子は、試料支持具の槽形収容体で軸方向に突き出ることにより、試料支持具の長さを増加させることができる。これにより、試料支持具の電気的な接触抵抗が高まる。
【００１７】
また、試料支持具の断面は円形状に形成されてもよい。この際、支え突子は、試料支持具の半径方向に突き出てもよい。このように、隙間を形成することにより、試料支持具を又は被分析物用の槽形収容空間を収容管壁から隔てることができる。したがって、被分析物の均一で間接的な加熱を確保することができる。試料支持具自体は、円形断面に基づいて原理上は管形にも形成されてもよい。しかしながら、好ましくは、試料支持具をその断面に関して円弧形状に形成するように設定してもよい。
【００１８】
試料支持具を収容管壁に固定するために、収容管壁内に形成された収容間隙内に少なくとも１つの支え突子を挿入してもよい。収容間隙を、例えば、鋸挽き又はフライス加工により収容管壁内に容易に形成することができるので、試料支持具と試料支持装置との接合を特に費用面で有利に作製することができる。支え突子を収容間隙内に固定するためには、収容間隙と支え突子又はその平行な側面との間の嵌合を成すことのみが必要である。好ましくは、２つの支え突子をそれぞれ収容間隙内に挿入してもよい。
【００１９】
その際、支え突子が収容間隙内に挟まれていると有利である。例えば、収容間隙と支え突子又はその平行な側面との間の圧嵌が容易に行われ得る。試料支持具には大きな力が作用しないので、支え突子（単数）又は支え突子（複数）を、収容間隙（単数）又は収容間隙（複数）内に単に差し込んで、挟み込むことにより、試料支持具を試料支持装置に備え付けることができる。
【００２０】
収容間隙が収容管の長手端に形成されている場合、管状炉装置はさらに容易に作製可能になる。収容間隙を鋸挽き又はフライス加工によりとりわけ容易に長手端に形成することができる。
【００２１】
少なくとも１つの支え突子が、収容管の内面に接する段を形成することも有利である。このように、試料支持具が収容管の内面までの所定の間隔に配置されていることを常時保証することができる。好ましくは、２つの支え突子は、それぞれ、試料支持具が内面に対して平行に収容管内に配置されているような段を形成してもよい。そして、段を止め具のように形成してもよい。
【００２２】
試料支持具は、熱分解性被膜により収容管に固定されてもよい。管状炉装置を作製する際、試料支持具を収容管内において所定位置に配置することができる。その後、管状炉装置の表面に塗布された熱分解性被膜は、２つの部品を材料接着で互いに接合することができる。
【００２３】
さらに管状炉装置は、支承延長部と収容管とを通り抜け得る貫通孔を有することができる。貫通孔は、特に、被分析物を試料支持具上の中央にとりわけ容易に配置することを可能にする被分析物投入口のように形成されてもよい。
【００２４】
本発明に係る分析機器、特に原子吸光分光用の分析機器は原子化炉を含み、その原子化炉は本発明に係る管状炉装置を有する。分析機器の追加の実施形態は、管状炉装置に関する請求項１を典拠とする従属請求項から明らかになる。
【００２５】
以下に本発明の好ましい実施形態を付属の図面を参照しつつ説明する。
【図面の簡単な説明】
【００２６】
【図１】管状炉装置の斜視図である。
【図２】管状炉装置の側面図である。
【図３】図２の線III−IIIに沿った管状炉の断面図である。
【図４】管状炉装置の試料支持装置の斜視図である。
【図５】管状炉装置の試料支持具の斜視図である。
【発明を実施するための形態】
【００２７】
図１〜５は、管状炉装置１０及びその部品を様々な見方で示す。管状炉装置１０は、完全に黒鉛から構成されており、原子化炉内での使用のために、特に原子吸光分光用に構成されている。管状炉装置１０は、不図示の被分析物を収容するための試料支持装置１１と、試料支持具１２とを含む。試料支持装置１１は、さらに収容管１３を有し、該収容管１３は、試料支持具１２がその内部に配置されている管形の収容空間１４を形成する。試料支持装置１１は、管状炉装置１０をここに図示されていない原子化炉に保持しかつ電気的に接触させる役割をする２つの支承延長部１５を収容管１３に有する。支承延長部１５は、収容管１３の長手軸１６に対して横手方向に、又は長手軸１６に対して直交して形成されている。各支承延長部１５は、支承体１７と保持ブリッジ１８とから構成されており、保持ブリッジ１８は、支承体１７をそれぞれ収容管１３に接合する。このため、収容管１３は、支承延長部１５を介して前記横手方向に電気的に加熱できるように構成されている。
【００２８】
試料支持具１２は、さらに支え突子１９を２つのみを有し、これらの支え突子１９は、試料支持具１２の対向する長手端２０にそれぞれ形成されている。さらに試料支持具１２は、被分析物用の槽形収容体２１を形成する。この被分析物は、ここでは、収容管１３及び支承延長部１５内の貫通孔２２を介して収容体２１上の中央に配置され得る。収容管１３の長手軸１６に関して、ここでは、四角形の幾何学形状で形成されている支え突子１９は、収容体２１から離れる軸方向に延びている。同時に支え突子１９は、試料支持具１２が収容管１３の内面２３から又は収容管壁３０から間隙２４を介して隔てられているように、試料支持具１２の半径方向に突き出ている。これにより、収容体２１内の被分析物の間接的な電位なしの加熱が可能になる。
【００２９】
支え突子１９の末端２５は、それぞれ、収容管１３内に形成された収容間隙２６内に挿入されている。末端２５には、各支え突子１９が内面２３に止め具２８のように接するのを可能にする段２７が形成されている。このように、間隙２４は、収容管壁３０までの所望の均一な間隔を有することを容易に保証することができる。収容間隙２６は、それぞれ収容管の長手端２９に形成されている。収容間隙２６は、例えば、鋸挽き及びフライス加工により容易に形成され得る。また、収容間隙２６と各支え突子１９の末端２５との間の所望の嵌合を容易に成すことが可能になる。その理由は、収容間隙２６の幅及び末端２５のみが対応する公差で構成されるべきであるからである。また、長手軸１６の方向での試料支持具１２の正確な位置決めは、既に比較的互いに遠くに隔てられた支え突子１９によってのみ得られるので、ここでは半径方向において試料支持具１２と収容間隙２６との間の遊合を容易に成すことができる。
【図１】
2019039919.tif 000003
【図２】
2019039919.tif 000004
【図３】
2019039919.tif 000005
【図４】
2019039919.tif 000006
【図５】
2019039919.tif 000007
【外国語明細書】
2019039919000001.pdf